(57)【要約】【課題】ＴＴＩ内全てのＴＦＣＩ符号語情報を用いて該当トランスポートチャネルのＴＦＩ情報を判定することにより、受信性能を向上する。【解決手段】ＴＴＩ組み合わせパターン生成部７は、あるトランスポートチャネルにおけるＴＴＩ内では当該トランスポートチャネルのＴＦＩは変化しないことに基づいて、複数のトランスポートチャネル毎のＴＴＩのうち最も期間の長いＴＴＩ内でＴＦＣＩが取り得る全ての組み合わせをＴＴＩ組み合わせパターンとして生成する。加算器５は、尤度演算器４により算出された無線フレーム毎の尤度を、ＴＴＩ組み合わせパターンに基づいて、各パターン毎に加算する。ＴＦＩ判定部９は、ＴＴＩ組み合わせパターンの中から、最も尤度の高いパターンを選択し、当該トランスポートチャネルのＴＦＩ番号を判定する。【選択図】　　　図１
2004015171.tif 000002
【特許請求の範囲】
【請求項１】
受信データ系列に含まれているＴＦＣＩ符号語を復号してＴＦＩの判定を行うＴＦＣＩ復号回路であって、
無線フレームに多重されている通信サービス毎のＴＴＩ情報及びＴＦＩ情報、ＴＦＩとＴＦＣＩの関係を表したＴＦＣＩ−ＴＦＩ変換テーブルを保存している通信パラメータ保存手段と、
受信データ系列からＴＦＣＩ符号語を抽出するＴＦＣＩ符号語抽出手段と、
前記通信パラメータ保存手段からの情報に基づいて、複数種類のＴＦＣＩ符号語の候補パターンを生成するＴＦＣＩ符号語候補生成手段と、
あるトランスポートチャネルにおけるＴＴＩ内では当該トランスポートチャネルのＴＦＩは変化しないことに基づいて、複数のトランスポートチャネル毎のＴＴＩのうち最も期間の長いＴＴＩ内でＴＦＣＩが取り得る全ての組み合わせをＴＴＩ組み合わせパターンとして生成するＴＴＩ組み合わせパターン生成手段と、
前記ＴＦＣＩ符号語候補生成手段により生成された複数種類のＴＦＣＩ符号語の候補パターンと前記ＴＦＣＩ符号語抽出手段により抽出されたＴＦＣＩ符号語との尤度をそれぞれ演算する尤度演算手段と、
前記尤度演算手段により算出された無線フレーム毎の尤度を、前記ＴＴＩ組み合わせパターン生成手段により生成されたＴＴＩ組み合わせパターンに基づいて、各パターン毎に加算する加算手段と、
前記加算手段におけるＴＴＩ組み合わせパターン毎の加算結果を保存する尤度情報保存手段と、
前記尤度情報保存手段に格納されているＴＴＩ組み合わせパターン毎の尤度情報に基づいて、前記ＴＴＩ組み合わせパターン生成手段により生成されたＴＴＩ組み合わせパターンの中から、最も尤度の高いパターンを選択し、前記ＴＦＣＩ−ＴＦＩテーブルから当該トランスポートチャネルのＴＦＩ番号を判定してＴＦＩ結果として出力するＴＦＩ判定手段と、を備えたＴＦＣＩ復号回路。
【請求項２】
ＴＴＩ内の第２フレーム以降の処理において、前記ＴＴＩ組み合わせパターン生成手段によって生成された複数のＴＴＩ組み合わせパターンに対して、前フレームにおけるＴＦＣＩ番号が同じである複数のＴＴＩ組み合わせパターンのうちから尤度が高い上位Ｎ個のみを選択し、それ以外のパターンを候補からはずす候補選択手段をさらに備え、
前記加算手段は、前記候補選択手段により候補として残されたＴＴＩ組み合わせパターンについての加算処理のみを行うようにする請求項１記載のＴＦＣＩ復号回路。
【請求項３】
受信データ系列に含まれているＴＦＣＩ符号語を復号してＴＦＩの判定を行うＴＦＣＩ復号方法であって、
受信データ系列からＴＦＣＩ符号語を抽出するステップと、
複数種類のＴＦＣＩ符号語の候補パターンを生成するステップと、
あるトランスポートチャネルにおけるＴＴＩ内では当該トランスポートチャネルのＴＦＩは変化しないことに基づいて、複数のトランスポートチャネル毎のＴＴＩのうち最も期間の長いＴＴＩ内でＴＦＣＩが取り得る全ての組み合わせをＴＴＩ組み合わせパターンとして生成するステップと、
前記複数種類のＴＦＣＩ符号語の候補パターンと、抽出された前記ＴＦＣＩ符号語との尤度をそれぞれ演算するステップと、
算出された無線フレーム毎の前記尤度を、前記ＴＴＩ組み合わせパターンに基づいて、各パターン毎に加算するステップと、
前記ＴＴＩ組み合わせパターン毎の尤度情報に基づいて、前記ＴＴＩ組み合わせパターンの中から、最も尤度の高いパターンを選択し、前記ＴＦＣＩ−ＴＦＩテーブルから当該トランスポートチャネルのＴＦＩ番号を判定してＴＦＩ結果として出力するステップと、を備えたＴＦＣＩ復号方法。
【請求項４】
ＴＴＩ内の第２フレーム以降の処理において、前記ＴＴＩ組み合わせパターン生成手段によって生成された複数のＴＴＩ組み合わせパターンに対して、前フレームにおけるＴＦＣＩ番号が同じである複数のＴＴＩ組み合わせパターンのうちから尤度が高い上位Ｎ個のみを選択し、それ以外のパターンを候補からはずすステップをさらに備えた請求項３記載のＴＦＣＩ復号方法。
【発明の詳細な説明】
【０００１】
【発明の属する技術分野】
本発明は、第３世代移動体通信システム規格である３ＧＰＰ（３ｒｄ　Ｇｅｎｅｒａｔｉｏｎ　Ｐａｒｔｎｅｒｓｈｉｐ　Ｐｒｏｊｅｃｔ）で規定されているＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）符号語を復号してＴＦＩ（Ｔｒａｎｓｐｏｒｔ　Ｆｏｒｍａｔ　Ｉｎｄｉｃａｔｏｒ）の判定を行うＴＦＣＩ復号回路及び復号方法に関する。
【０００２】
【従来の技術】
現在、携帯電話等の通信方式において、音声やパケットなど複数のサービスの情報を複数の伝送レートで同一無線フレーム内に多重し、伝送する方法が実用化されている。これらの多重された情報の内容や情報レートを示す手段として、ＴＦＣＩ（Ｔｒａｎｓｐｏｒｔ　Ｆｏｒｍａｔ　Ｃｏｍｂｉｎａｔｉｏｎ　Ｉｎｄｉｃａｔｏｒ）といわれる情報ビットを付加する方法があり、第３世代移動通信システム規格を作成する３ＧＰＰ（３ｒｄ　Ｇｅｎｅｒａｔｉｏｎ　Ｐａｒｔｎｅｒｓｈｉｐ　Ｐｒｏｊｅｃｔ）でも採用されている。
【０００３】
３ＧＰＰ規格ではパケットや音声など異なるサービスをそれぞれトランスポートチャネル（Ｔｒａｎｓｐｏｒｔ　Ｃｈａｎｎｅｌ）と呼ばれるチャネルに割り当て、それぞれのトランスポートチャネル毎にＴＴＩ（Ｔｒａｎｓｍｉｓｓｉｏｎ　Ｔｉｍｅ　Ｉｎｔｅｒｖａｌ）と呼ばれる送信時間単位毎にデータの符号化を行い、物理チャネル（無線フレーム）へ多重化して送信される。この際、各トランスポートチャネル毎のＴＴＩあたりのデータ量はＴＦＩ（Ｔｒａｎｓｐｏｒｔ　Ｆｏｒｍａｔ　Ｉｎｄｉｃａｔｏｒ）と呼ばれるインデックスにより判断することができ、多重化されたトランスポートチャネルのＴＦＩの組み合わせを示すのがＴＦＣＩと呼ばれる情報となる。よって、ＴＦＣＩを正しく受信できないと、多重されている全てのトランスポートチャネルの伝送レートが判断できなくなり、通信が成立しないことになる。このため、ＴＦＣＩを低い誤り率で判定する手段が重要となる。ＴＦＣＩとＴＦＩの関係の例を図１０に示す。
【０００４】
この図１０は、２つのトランスポートチャネル１、２が多重され、ＴＦＩ数がともに２の場合の例を示したものである。この場合、ＴＦＣＩはＴＦＩの組み合わせを示し４通りとなる。
【０００５】
従来のＴＦＣＩ復号回路の一例は、特開２００２−０２６７３５号公報等に記載されている。ＴＦＣＩはＴＦＣＩ符号語と呼ばれる符号語に変換されて無線回線上に送信される。このＴＦＣＩ符号語は誤りに対する耐性を持たせるために冗長なビット長となっており、ＴＦＣＩ自体の検出、復号方法は複数提案されている。ＴＦＣＩとＴＦＣＩ符号語の関係の例を図１１に示す。また、図１１の例においては図１２に示す様に、４つの符号語間のハミング距離が全て１６程度となる様な符号となっており、他の符号に誤る確率はどれも等しい。
【０００６】
しかし、これらの従来技術には、次のような課題がある。３ＧＰＰ規格では、各トランスポートチャネル毎にＴＴＩが異なり、これらのうち最小のＴＴＩ単位でＴＦＣＩ符号語が変わってしまう可能性がある。このため、従来のＴＦＣＩ復号回路では、ＴＦＣＩ符号語の復号は最小のＴＴＩ単位毎に行われていた。例えば、図１３に示す様に、全てのトランスポートチャネルが同一のＴＴＩで４０ｍｓだった様な場合、１０ｍｓの無線フレーム毎のＴＦＣＩ符号語を４フレーム分同相加算することで信号対雑音比が４倍改善でき、誤り率を減らすことができるはずである。しかし、図１４の様にＴＴＩ＝２０ｍｓのトランスポートチャネルとＴＴＩ＝１０ｍｓのトランスポートチャネルが多重されている場合や、図１５の様にＴＴＩ＝４０ｍｓのトランスポートチャネルとＴＴＩ＝１０ｍｓのトランスポートチャネルが多重されている場合は、ＴＦＣＩは１０ｍｓ毎に変わる可能性があり、最大ＴＴＩ間（図１４では４０ｍｓ、図１５では２０ｍｓ）同相加算を行うことができない。このため、繰り返し送信されているはずのＴＦＩ情報を有効に使用することができない。ＴＴＩが長い程インターリーブ（データの並び替え）周期を長くできるため、伝送データ自体に対する誤り訂正能力が改善するのに対して、ＴＦＣＩの誤りは改善できないことになる。
【０００７】
【発明が解決しようとする課題】
上述した従来のＴＦＣＩ復号回路では、最小のＴＴＩ単位内のＴＦＣＩ符号語のみを使用してＴＦＩを判定しているため、誤った復号を行って受信性能が悪化してしまう可能性があるという問題点があった。
【０００８】
本発明の目的は、ＴＴＩ内全てのＴＦＣＩ符号語情報を用いて該当トランスポートチャネルのＴＦＩ情報を判定することにより、受信性能を向上することができるＴＦＣＩ復号回路および復号方法を提供することである。
【０００９】
【課題を解決するための手段】
上記目的を達成するために、本発明のＴＦＣＩ復号回路は、受信データ系列に含まれているＴＦＣＩ符号語を復号してＴＦＩの判定を行うＴＦＣＩ復号回路であって、
無線フレームに多重されている通信サービス毎のＴＴＩ情報及びＴＦＩ情報、ＴＦＩとＴＦＣＩの関係を表したＴＦＣＩ−ＴＦＩ変換テーブルを保存している通信パラメータ保存手段と、
受信データ系列からＴＦＣＩ符号語を抽出するＴＦＣＩ符号語抽出手段と、
前記通信パラメータ保存手段からの情報に基づいて、複数種類のＴＦＣＩ符号語の候補パターンを生成するＴＦＣＩ符号語候補生成手段と、
あるトランスポートチャネルにおけるＴＴＩ内では当該トランスポートチャネルのＴＦＩは変化しないことに基づいて、複数のトランスポートチャネル毎のＴＴＩのうち最も期間の長いＴＴＩ内でＴＦＣＩが取り得る全ての組み合わせをＴＴＩ組み合わせパターンとして生成するＴＴＩ組み合わせパターン生成手段と、
前記ＴＦＣＩ符号語候補生成手段により生成された複数種類のＴＦＣＩ符号語の候補パターンと前記ＴＦＣＩ符号語抽出手段により抽出されたＴＦＣＩ符号語との尤度をそれぞれ演算する尤度演算手段と、
前記尤度演算手段により算出された無線フレーム毎の尤度を、前記ＴＴＩ組み合わせパターン生成手段により生成されたＴＴＩ組み合わせパターンに基づいて、各パターン毎に加算する加算手段と、
前記加算手段におけるＴＴＩ組み合わせパターン毎の加算結果を保存する尤度情報保存手段と、
前記尤度情報保存手段に格納されているＴＴＩ組み合わせパターン毎の尤度情報に基づいて、前記ＴＴＩ組み合わせパターン生成手段により生成されたＴＴＩ組み合わせパターンの中から、最も尤度の高いパターンを選択し、前記ＴＦＣＩ−ＴＦＩテーブルから当該トランスポートチャネルのＴＦＩ番号を判定してＴＦＩ結果として出力するＴＦＩ判定手段とを備えている。
【００１０】
本発明によれば、ＴＴＩ内に受信される全てのＴＦＣＩ符号語を用いてもっとも確からしいと判断されるＴＦＩを判定することができる。従って、最小のＴＴＩ内のＴＦＣＩ符号語のみを使用してＴＦＩを判定する従来方法に比べて、誤りが発生する確率を減らし、受信性能を向上させることができる。
【００１１】
また、本発明のＴＦＣＩ復号回路は、ＴＴＩ内の第２フレーム以降の処理において、前記ＴＴＩ組み合わせパターン生成手段によって生成された複数のＴＴＩ組み合わせパターンに対して、前フレームにおけるＴＦＣＩ番号が同じである複数のＴＴＩ組み合わせパターンのうちから尤度が高い上位Ｎ個のみを選択し、それ以外のパターンを候補からはずす候補選択手段をさらに備え、
前記加算手段は、前記候補選択手段により候補として残されたＴＴＩ組み合わせパターンについての加算処理のみを行うようにしてもよい。
【００１２】
本発明によれば、最終的に残る組み合わせ候補数を減らすことができるため、トランスポートチャネル間のＴＴＩの比が大きい場合やＴＦＩの数が大きい場合でも演算量を削減することができる。
【００１３】
【発明の実施の形態】
次に、本発明の実施の形態について図面を参照して詳細に説明する。
【００１４】
ここでは、説明を簡単化するため、無線フレームに多重されるトランスポートチャネルは２つであり、図１０に示すＴＦＣＩ−ＴＦＩ変換テーブルが指定され、図１１に示すＴＦＣＩ符号語が割り振られた場合を例として説明する。
【００１５】
（第１の実施形態）
図１は本発明の第１の実施形態のＴＦＣＩ復号回路の構成を示すブロック図である。
【００１６】
本実施形態のＴＦＣＩ復号回路は、図１に示されるように、通信パラメータ保存部１と、ＴＦＣＩ符号語抽出部２と、ＴＦＣＩ符号語候補生成部３と、尤度演算器４と、加算器５と、尤度情報保存部６と、ＴＴＩ組み合わせパターン生成部７と、ＴＦＩ判定部９とから構成されている。
【００１７】
通信パラメータ保存部１は、無線フレームに多重されている通信サービス毎のＴＴＩ情報及びＴＦＩ情報、ＴＦＩとＴＦＣＩの関係を表したＴＦＣＩ−ＴＦＩ変換テーブルを保存している。
【００１８】
ＴＦＣＩ符号語抽出部２は、受信データ系列からＴＦＣＩ符号語を抽出する。ＴＦＣＩ符号語候補生成部３は、通信パラメータ保存部１からの情報に基づいて、図１１に示すような４種類のＴＦＣＩ符号語の候補パターンを生成する。
【００１９】
ＴＴＩ組み合わせパターン生成部７は、通信パラメータ保存部１のＴＴＩ情報を用いて、あるトランスポートチャネルにおけるＴＴＩ内では当該トランスポートチャネルのＴＦＩは変化しないことに基づいて、複数のトランスポートチャネル毎のＴＴＩのうち最も期間の長いＴＴＩ内でＴＦＣＩが取り得る全ての組み合わせをＴＴＩ組み合わせパターンとして生成する。
【００２０】
ＴＴＩ組み合わせパターン生成部７により生成されるＴＴＩ組み合わせパターンの一例を図２に示す。ここでは、トランスポートチャネルの数が２つであり、ＴＴＩが１０ｍｓと２０ｍｓの場合であるため、トランスポートチャネル１におけるＴＴＩ（＝２０ｍｓ）ではトランスポートチャネル１のＴＦＩは変化しないことに基づき、図２に示すようなＡ〜Ｈの８つのパターンがＴＴＩ組み合わせパターンとして生成されている。
【００２１】
尤度演算器４は、ＴＦＣＩ符号語候補生成部３により生成された４種類のＴＦＣＩ符号語の候補パターンとＴＦＣＩ符号語抽出部２により抽出されたＴＦＣＩ符号語との尤度をそれぞれ演算する。
【００２２】
加算器５は、尤度演算器４により算出された無線フレーム毎の尤度を、ＴＴＩ組み合わせパターン生成部７により生成されたＴＴＩ組み合わせパターンに基づいて、各パターン毎に加算して尤度情報保存部６に記憶させる。尤度情報保存部６は、加算器５におけるＴＴＩ組み合わせパターン毎の加算結果を保存する。
【００２３】
ＴＦＩ判定部９は、尤度情報保存部６に格納されているＴＴＩ組み合わせパターン毎の尤度情報に基づいて、ＴＴＩ組み合わせパターン生成部７により生成されたＴＴＩ組み合わせパターンの中から、最も尤度の高いパターンを選択し、通信パラメータ保存部１のＴＦＣＩ−ＴＦＩテーブルから当該トランスポートチャネルのＴＦＩ番号を判定してＴＦＩ結果として出力する。
【００２４】
次に、本実施形態のＴＦＣＩ復号回路の動作を図面を参照して詳細に説明する。ここでは、図１４に示す様に無線フレームに、ＴＴＩ＝２０ｍｓのトランスポートチャネル１とＴＴＩ＝１０ｍｓのトランスポートチャネル２の２つのトランスポートチャネルが多重されている場合を用いて、本実施形態のＴＦＣＩ復号回路の動作を説明する。
【００２５】
先ず、ＴＦＣＩ符号語抽出部２は無線フレーム内の受信信号系列からＴＦＣＩ符号語３２ビットのみを抜き出す。ＴＦＣＩ符号語抽出部２により抽出された３２ビットの符号データは尤度演算器４へ出力される。
【００２６】
次に、ＴＦＣＩ符号語候補生成部３は通信パラメータ保存部１から指定された候補ＴＦＣＩのリストを元に、図１１に示す３２ビットのＴＦＣＩ符号語の４種類の候補パターンを生成し、尤度演算器４はＴＦＣＩ符号語抽出部２から出力された３２ビットのＴＦＣＩ符号語と、この４種類の候補パターンとの尤度をそれぞれ演算する。なお、ＴＦＣＩ符号化方法は前述の３ＧＰＰで規定されている。また、尤度演算方法は、当業者にとって複数の手段が広く知られているため、これらの詳細な説明は省略する。この尤度演算は無線フレーム毎に同様な方法にて行われる。
【００２７】
尤度演算器４に算出された４つの尤度データがＴＴＩ内の第１フレームにおけるＴＦＣＩ符号語によるものである場合、加算器５では、算出された４つの尤度に対する加算処理は行わず、尤度演算器４からの４つの尤度データは尤度情報保存部６に保存される。
【００２８】
尚、ＴＴＩ組み合わせパターン生成部７では、ＴＴＩ内では当該トランスポートチャネルのＴＦＩは変わらないことを条件として、図２に示す２０ｍｓ内でのＴＦＣＩの取り得る全組み合わせのパターンをＴＴＩ組み合わせパターンとして生成する。
【００２９】
４種類のＴＦＣＩが２回受信された場合の取り得る組み合わせは４×４＝１６通り有るが、トランスポートチャネル１のＴＦＩはＴＴＩ（２０ｍｓ）内では同一であることを利用すると８通りに絞ることができる。
【００３０】
ＴＴＩ内の第２フレームにおける処理では、加算器５は、尤度演算器４から出力された４つの尤度データ（第２フレーム）と、尤度情報保存部６に保存された４つの尤度データ（第１フレーム）をこのＴＴＩ組み合わせパターンに従って加算することにより、ＴＴＩ組み合わせパターンの各パターン毎の尤度の計算を行う。これにより、上記８通りのＴＦＣＩ組み合わせに対してそれぞれの尤度情報を得ることができる。最後に、ＴＦＩ判定部９は上記８通りの組み合わせから最も尤度の高い組み合わせを選択し、図２の組み合わせテーブルより、トランスポートチャネル１のＴＦＩ番号を判定してＴＦＩ判定結果として出力する。
【００３１】
なお、本実施形態ではトランスポートチャネル２のＴＦＩは、１つの無線フレームのＴＦＣＩ判定結果より、図１０のＴＦＣＩ−ＴＦＩ変換テーブルを用いて変換することができる。
【００３２】
本実施形態の動作説明の際のパラメータを例にとると、候補となる８通りの組み合わされたＴＦＣＩ符号語間のハミング距離は図３の様になる。トランスポートチャネル１のＴＦＩを間違う符号語は全てハミング距離３２となる。また、トランスポートチャネル１のＴＦＩを正しく検出できるが、トランスポートチャネル２のＴＦＩを１回または２回誤る符号語とのハミング距離はそれぞれ、１６、３２となっている。よって、ＴＦＣＩ組み合わせ自体を正しく検出できない場合（つまり、１フレーム分のＴＦＣＩ判定を誤る様な場合）でも、ＴＴＩが長いトランスポートチャネル１のＴＦＩを正しく検出できる確率が高くなる。
【００３３】
このように、本実施形態のＴＦＣＩ復号回路では、２０ｍｓのＴＴＩ内の全ＴＦＣＩ符号語を用いて演算を行うことで、トランスポートチャネル１のＴＦＩの誤判定を防ぐことができ、受信性能が向上する。
【００３４】
さらに、本実施形態のＴＦＣＩ復号回路の動作を具体的な数字を用いて以下に説明する。
【００３５】
以下の説明では尤度情報としてハミング距離を用いた場合を例として説明する。従って、尤度情報の値が小さいほど尤度としては高いことになる。ただし、本発明はこのような場合に限定されるものではなく、他の値、情報等を尤度情報として用いた場合でも同様に適用することができるものである。
【００３６】
例えば図４に示すように、トランスポートチャネル１では第１、第２フレームともＴＦＩ番号が“０”で、トランスポートチャネル２が第１フレームはＴＦＩ番号が“０”で第２フレームはＴＦＩ番号が“１”であるものとする。この場合、第１フレームのＴＦＣＩは“０”となり、第２フレームのＴＦＣＩは“２”となる。
【００３７】
このような構成になっているＴＦＣＩ符号語の復号を行う場合、トランスポートチャネル１の第１フレームにおける尤度は、理想的な場合図５（ａ）に示したような値となる。また、第２フレームにおける尤度は、図５（ｂ）に示したような値となる。これらの尤度情報は、加算器５において加算されることにより、各ＴＴＩ組み合わせパターンにおける尤度は、それぞれ図６に示すような値となる。そのため、ＴＦＩ判定部９では、最も尤度の高いＴＦＣＩ組み合わせパターン“Ｃ”を選択し、第１フレームのＴＦＣＩは“１”、第２フレームのＴＦＣＩは“２”と判定する。そのため、ＴＦＩ判定部９は、図１０に示すＴＦＣＩ−ＴＦＩ変換テーブルを参照して、トランスポートチャネル１のＴＦＩは“０”であると判定する。
【００３８】
（第２の実施形態）
次に、本発明の第２の実施形態のＴＦＣＩ復号回路について説明する。図７は本発明の第２の実施形態のＴＦＣＩ復号回路の構成を示すブロック図である。図７において、図１中の構成要素と同一の構成要素には同一の符号を付し、説明を省略するものとする。
【００３９】
本実施形態のＴＦＣＩ復号回路は、図７に示されるように、通信パラメータ保存部１と、ＴＦＣＩ符号語抽出部２と、ＴＦＣＩ符号語候補生成部３と、尤度演算器４と、加算器５と、尤度情報保存部６と、ＴＴＩ組み合わせパターン生成部７と、候補選択部８と、ＴＦＩ判定部９とから構成されている。
【００４０】
本実施形態のＴＦＣＩ復号回路の基本的構成は上記で説明した第１の実施形態のＴＦＣＩ復号回路に対して候補選択部８が新たに設けられた点が異なっている。
【００４１】
図１に示した第１の実施形態のＴＦＣＩ復号回路では、ＴＴＩ組み合わせパターン生成部７により生成された８つの全ての組み合わせパターンに対して尤度情報を加算する処理を行っていたが、本実施形態のＴＦＣＩ復号回路では尤度情報保存部６に保存されたＴＴＩ組み合わせパターン毎の尤度情報を用いて、最終的に選択される可能性の少ないパターンを候補からはずすことにより加算処理を削減するようにしたものである。
【００４２】
候補選択部８は、ＴＴＩ内の第２フレーム以降の処理において、ＴＴＩ組み合わせパターン生成部７によって生成された８つのＴＴＩ組み合わせパターンに対して、第１フレームにおけるＴＦＣＩ番号が同じである複数のＴＴＩ組み合わせパターンのうちから尤度が高い上位Ｎ個のみを選択し、それ以外のパターンを候補からはずしていく。そして、本実施形態における加算器５は、候補選択部８により候補からはずされたＴＴＩ組み合わせパターンについての加算処理を行わないようにする。
【００４３】
上記で説明した第１の実施形態の動作を説明したのと同じ条件で、本実施形態のＴＦＣＩ復号回路における動作を以下に説明する。説明を簡単にするため、以下の説明では、候補選択部８は、ＴＦＣＩ番号が同じである２つのパターンのうち上位１個のパターンを候補として残すものとして説明する。
【００４４】
尤度演算器４において無線フレーム毎に尤度演算が行われる動作は図１に示した第１の実施形態のＴＦＣＩ復号回路と同様であるためその説明は省略する。
【００４５】
ＴＴＩ内の第１フレームでは、尤度演算器４により算出された４つの尤度データは加算器５において加算処理されず尤度情報保存部６に保存される。
【００４６】
候補選択部８では第１フレームの処理の際に尤度情報保存部６に保存された尤度情報を用い、図４に示すＴＦＣＩの４つの候補のうち、トランスポートチャネル１のＴＦＩが“０”であるＴＦＣＩ“０”と“２”から尤度が大きい方のＴＦＣＩを候補として残す。同様に、トランスポートチャネル１のＴＦＩが“１”であるＴＦＣＩ“１”と“３”から尤度が大きい方のＴＦＣＩを候補として残す。この２通りの候補を第２フレームで演算された４つの尤度データと組み合わせ加算した尤度情報が再度、尤度情報保存部６へ出力される。
【００４７】
例えば、第１フレームにおいてＴＦＣＩ“０”、“１”、“２”、“３”に対する尤度が、図８（ａ）に示すように、それぞれ１、１８、１５、１７であるとすると、候補選択部８は、ＴＦＣＩ“０”と“２”に対する尤度“１”“１５”のうち尤度が大きいＴＦＣＩ“０”のみを候補として残す。同様にして、候補選択部８は、ＴＦＣＩ“１”と“３”に対する尤度“１８”“１７”のうち尤度が大きいＴＦＣＩ“３”のみを候補として残す。
【００４８】
つまり、候補選択部８は、ＴＴＩ組み合わせパターン生成部７により生成されたＴＴＩ組み合わせパターンのうち、第１フレームのＴＦＣＩが“０”または“３”のＡ、Ｃ、Ｆ、Ｈパターンのみを候補として残し、他のパターンＢ、Ｄ、Ｅ、Ｇに対する尤度演算を行わないようにする。
【００４９】
そして、第フレームにおる尤度情報が図８（ｂ）に示すような値となったものとすると、各ＴＴＩ組み合わせパターンに対する尤度は図９に示すようになる。
【００５０】
これにより、本実施形態では生き残った４通りのＴＦＣＩ組み合わせに対してそれぞれの尤度情報を得ることが出来る。最後に、ＴＦＩ判定部９は上記４通りの組み合わせから最も尤度の高い組み合わせを選択し、図１０の組み合わせテーブルより、トランスポートチャネル１のＴＦＩ番号に変換し、結果を出力する。
【００５１】
以上の様に、本実施形態では、最終的に残る組み合わせ候補数を減らすことが出来るため、図１５の様にトランスポートチャネル間のＴＴＩの比が大きい場合やＴＦＩの数が大きく、第１の実施形態では演算が困難な場合は有効である。
【００５２】
上記で説明した第１および第２の実施形態のＴＦＣＩ復号回路では、説明を簡単にするためにＴＦＩ数が２の場合を用いて説明したが、本発明はこのような場合に限定されるものではなく、ＴＦＩ数が３以上の場合にも同様に適用することができるものである。
【００５３】
また、上記で説明した第１および第２の実施形態のＴＦＣＩ回路では、尤度情報としてハミング距離を用いたが、本発明はこのような場合に限定されるものではなく、他の値を尤度情報として用いる場合にも同様に適用することができるものである。
【００５４】
【発明の効果】
以上説明したように、本発明によれば、ＴＴＩ内全てのＴＦＣＩ符号語情報を用いて該当トランスポートチャネルのＴＦＩ情報を判定することにより、受信性能を向上することができるという効果を得ることができる。
【図面の簡単な説明】
【図１】本発明の第１の実施形態のＴＦＣＩ復号回路の構成を示すブロック図である。
【図２】ＴＴＩ内でＴＦＣＩの取り得る組み合わせの例を示す図である。
【図３】ＴＴＩ内で組み合わせたＴＦＣＩ符号語間のハミング距離の例を示す図である。
【図４】異なるＴＴＩのトランスポートチャネルが多重されている場合のＴＦＣＩとＴＦＩの関係の具体例を示す図である。
【図５】尤度演算器４によって得られた第１フレームにおける尤度を示す図（図５（ａ））および第２フレームにおける尤度を示す図（図５（ｂ））である。
【図６】８通りのＴＦＣＩ組み合わせに対してそれぞれ算出された尤度情報を示す図である。
【図７】本発明の第１の実施形態のＴＦＣＩ復号回路の構成を示すブロック図である。
【図８】尤度演算器４によって得られた第１フレームにおける尤度を示す図（図８（ａ））および第２フレームにおける尤度を示す図（図８（ｂ））である。
【図９】４通りのＴＦＣＩ組み合わせに対してそれぞれ算出された尤度情報を示す図である。
【図１０】ＴＦＣＩとＴＦＩの関係の例を示す図である。
【図１１】ＴＦＣＩと符号化されたＴＦＣＩ符号語の関係の例を示す図である。
【図１２】ＴＦＣＩ符号語間のハミング距離の例を示す図である。
【図１３】同一のＴＴＩのトランスポートチャネルが多重されている場合のＴＦＣＩとＴＦＩの関係を示す図である。
【図１４】異なるＴＴＩのトランスポートチャネルが多重されている場合のＴＦＣＩとＴＦＩの関係を示す図である。
【図１５】異なるＴＴＩのトランスポートチャネルが多重されている場合のＴＦＣＩとＴＦＩの関係を示す図である。
【符号の説明】
１　　通信パラメータ保存部
２　　ＴＦＣＩ符号語抽出部
３　　ＴＦＣＩ符号語候補生成部
４　　尤度演算器
５　　加算器
６　　尤度情報保存部
７　　ＴＴＩ組み合わせパターン生成部
８　　候補選択部
９　　ＴＦＩ判定部
【図１】
2004015171.tif 000003
【図２】
2004015171.tif 000004
【図３】
2004015171.tif 000005
【図４】
2004015171.tif 000006
【図５】
2004015171.tif 000007
【図６】
2004015171.tif 000008
【図７】
2004015171.tif 000009
【図８】
2004015171.tif 000010
【図９】
2004015171.tif 000011
【図１０】
2004015171.tif 000012
【図１１】
2004015171.tif 000013
【図１２】
2004015171.tif 000014
【図１３】
2004015171.tif 000015
【図１４】
2004015171.tif 000016
【図１５】
2004015171.tif 000017